(57)【要約】【課題】医用画像上のマーカ画像及び／又はその医用画像に対応する撮影付帯情報の修正を行うことを可能とする。【解決手段】本発明に係るコントローラーによれば、一患者に対して撮影されたＮ枚の医用画像を撮影順に表示する画像表示欄Ｐ１〜ＰＮと、表示された各医用画像に対応する撮影付帯情報を表示する撮影付帯情報表示欄Ｄ１〜ＤＮと、医用画像上のマーカ画像を修正するためのボタンＢ１１及びＢ１２と、撮影付帯情報を修正するための撮影付帯情報修正ボタンＳＢ２とが設けられた撮影順表示画面３３２が表示され、当該画面からの操作に基づいて、医用画像上のマーカ画像又は撮影付帯情報が修正される。【選択図】図８
2006043435.tif 000002
【特許請求の範囲】
【請求項１】
被写体とともに撮影時の情報を付与するためのマーカを撮影し、撮影時の情報を示すマーカ画像を含む医用画像を生成する医用画像生成システムにおいて、
表示画面を表示する表示手段と、
前記生成されたマーカ画像を含む医用画像と当該医用画像に対応する撮影付帯情報とを前記表示手段の表示画面上に同時に表示する制御手段と、
前記表示された医用画像に含まれるマーカ画像又は前記撮影付帯情報を修正する修正手段と、
を備えたことを特徴とする医用画像生成システム。
【請求項２】
一の被検者に対し複数の撮影条件下で乳房撮影を行い、各乳房撮影時に乳房とともに撮影時の情報を付与するためのマーカを撮影することにより、一の被検者に対し、撮影時の情報を示すマーカ画像を含む複数の医用画像を生成する医用画像生成システムにおいて、
表示画面を表示する表示手段と、
前記一の被検者に対して生成されたマーカ画像を含む複数の医用画像を撮影順に並べて前記表示手段の表示画面上に同時に表示する制御手段と、
前記表示された医用画像に含まれるマーカ画像を修正する修正手段と、
を備えたことを特徴とする医用画像生成システム。
【請求項３】
前記制御手段は、前記一の被検者に対して生成されたマーカ画像を含む複数の医用画像をそれぞれに対応する撮影付帯情報と対応付けて撮影順に並べて前記表示手段の表示画面上に同時に表示し、
前記修正手段は、前記表示された医用画像に含まれるマーカ画像又は前記撮影付帯情報を修正することを特徴とする請求項２に記載の医用画像生成システム。
【請求項４】
前記医用画像生成システムは、輝尽性蛍光体プレートを有するカセッテを用いて撮影を行い、前記カセッテの輝尽性蛍光体プレートに記録された画像を読み取って医用画像を取得する読取装置と、前記読取装置により取得された医用画像に所定の処理を施す情報処理装置とを備え、
前記情報処理装置は、前記表示手段、前記制御手段及び前記修正手段を有することを特徴とする請求項１〜３の何れか一項に記載の医用画像生成システム。
【請求項５】
前記医用画像生成システムは、カセッテ型のフラットパネルディテクタを用いて撮影を行い、前記フラットパネルディテクタにより取得された医用画像に所定の処理を施す情報処理装置を備え、
前記情報処理装置は、前記表示手段、前記制御手段及び前記修正手段を有することを特徴とする請求項１〜３の何れか一項に記載の医用画像生成システム。
【請求項６】
一の被検者に対し複数の撮影条件下で乳房撮影を行い、各乳房撮影時に乳房とともに撮影時の情報を付与するためのマーカを撮影することにより、一の被検者に対し、撮影時の情報を示すマーカ画像を含む複数の医用画像を生成する医用画像生成方法において、
前記一の被検者に対して生成されたマーカ画像を含む複数の医用画像を撮影順に並べて表示手段の表示画面上に同時に表示することにより、前記マーカ画像を修正可能とすることを特徴とする医用画像生成方法。
【請求項７】
前記一の被検者に対して生成されたマーカ画像を含む複数の医用画像をそれぞれに対応する撮影付帯情報と対応付けて撮影順に並べて表示手段の表示画面上に同時に表示することにより、前記マーカ画像又は前記撮影付帯情報を修正可能とすることを特徴とする請求項６に記載の医用画像生成方法。
【発明の詳細な説明】
【技術分野】
【０００１】
本発明は、被写体を撮影して医用画像を生成する医用画像生成システム及び医用画像生成方法に関する。
【背景技術】
【０００２】
放射線を用いて撮影された画像は、診断のための医用画像として広く用いられている。例えば、特許文献１には、放射線撮影により放射線画像が記録された輝尽性蛍光体シートを読取り部の所定位置にセットし、この輝尽性蛍光体シートに記録された放射線画像を読取り部により読み取って、得られた画像データを処理部に入力し、別途入力された撮影条件に基づいて当該画像データに画像処理を施すとともに撮影条件に対応して予めデータベースに格納されている出力形式情報に基づいて出力イメージを構成してフィルム出力する技術が開示されている。
【０００３】
ところで、乳房の診断においては、左右の画像や異なる撮影方向による画像の比較読影により診断が行なわれるため、乳房画像を撮影する場合、一人の被検者に対して、左乳房の上下方向（ＣＣ（Cranio-Caudal）−Ｌ（左））、左乳房の斜位方向（ＭＬＯ（Medio-Lateral Oblique）−Ｌ）、右乳房の上下方向（ＣＣ−Ｒ（右））、右乳房の斜位方向（ＭＬＯ−Ｒ）と、異なる撮影条件で複数回撮影を行うことが一般的である。
【０００４】
そのため、持ち運び可能な輝尽性蛍光体シート等の記録媒体を用いて乳房撮影を行う場合には、実際に撮影を行った撮影条件と、画像データに対して予め入力された撮影条件との相違がないようにしなければならない。
【０００５】
しかしながら、特許文献１においては、画像データに対して処理部で入力された撮影条件に基づいて撮影時の撮影条件を判断しているため、実際に撮影を行った撮影条件と、入力された撮影条件との相違が発生しても、気付かない可能性がある。
【０００６】
そこで、従来、撮影条件の取り違えを防止するため、乳房撮影の際には、乳房とともに左右の区別や撮影方向を示す鉛マーカを撮影することが行われている。これにより、実際に撮影を行ったときの撮影条件等、撮影時の情報を付与するマーカ画像を医用画像上に表示することが可能となるので、好ましい。
【特許文献１】特開２００２−１５８８６２号公報
【発明の開示】
【発明が解決しようとする課題】
【０００７】
しかしながら、撮影時に誤った鉛マーカを配置して撮影したり、撮影に使用すべき記録媒体を取り違えたりした場合には、医用画像上のマーカ画像に間違いが生じたり、医用画像上のマーカ画像が示す情報とその医用画像に対して予め入力されている撮影条件等の撮影付帯情報とに相違が生じたりすることがあるが、従来、このような場合に修正を行うことができなかった。
【０００８】
本発明の課題は、医用画像上のマーカ画像及び／又はその医用画像に対応する撮影付帯情報の修正を行うことを可能とすることである。
【課題を解決するための手段】
【０００９】
上記課題を解決するため、請求項１に記載の発明は、
被写体とともに撮影時の情報を付与するためのマーカを撮影し、撮影時の情報を示すマーカ画像を含む医用画像を生成する医用画像生成システムにおいて、
表示画面を表示する表示手段と、
前記生成されたマーカ画像を含む医用画像と当該医用画像に対応する撮影付帯情報とを前記表示手段の表示画面上に同時に表示する制御手段と、
前記表示された医用画像に含まれるマーカ画像又は前記撮影付帯情報を修正する修正手段と、
を備えたことを特徴としている。
【００１０】
請求項２に記載の発明は、請求項１に記載の発明において、
一の被検者に対し複数の撮影条件下で乳房撮影を行い、各乳房撮影時に乳房とともに撮影時の情報を付与するためのマーカを撮影することにより、一の被検者に対し、撮影時の情報を示すマーカ画像を含む複数の医用画像を生成する医用画像生成システムにおいて、
表示画面を表示する表示手段と、
前記一の被検者に対して生成されたマーカ画像を含む複数の医用画像を撮影順に並べて前記表示手段の表示画面上に同時に表示する制御手段と、
前記表示された医用画像に含まれるマーカ画像を修正する修正手段と、
を備えたことを特徴としている。
【００１１】
請求項３に記載の発明は、請求項２に記載の発明において、
前記制御手段は、前記一の被検者に対して生成されたマーカ画像を含む複数の医用画像をそれぞれに対応する撮影付帯情報と対応付けて撮影順に並べて前記表示手段の表示画面上に同時に表示し、
前記修正手段は、前記表示された医用画像に含まれるマーカ画像又は前記撮影付帯情報を修正することを特徴としている。
【００１２】
請求項４に記載の発明は、請求項１〜３の何れか一項に記載の発明において、
前記医用画像生成システムは、輝尽性蛍光体プレートを有するカセッテを用いて撮影を行い、前記カセッテの輝尽性蛍光体プレートに記録された画像を読み取って医用画像を取得する読取装置と、前記読取装置により取得された医用画像に所定の処理を施す情報処理装置とを備え、
前記情報処理装置は、前記表示手段、前記制御手段及び前記修正手段を有することを特徴としている。
【００１３】
請求項５に記載の発明は、請求項１〜３の何れか一項に記載の発明において、
前記医用画像生成システムは、カセッテ型のフラットパネルディテクタを用いて撮影を行い、前記フラットパネルディテクタにより取得された医用画像に所定の処理を施す情報処理装置を備え、
前記情報処理装置は、前記表示手段、前記制御手段及び前記修正手段を有することを特徴としている。
【００１４】
請求項６に記載の発明は、
一の被検者に対し複数の撮影条件下で乳房撮影を行い、各乳房撮影時に乳房とともに撮影時の情報を付与するためのマーカを撮影することにより、一の被検者に対し、撮影時の情報を示すマーカ画像を含む複数の医用画像を生成する医用画像生成方法において、
前記一の被検者に対して生成されたマーカ画像を含む複数の医用画像を撮影順に並べて表示手段の表示画面上に同時に表示することにより、前記マーカ画像を修正可能とすることを特徴としている。
【００１５】
請求項７に記載の発明は、請求項６に記載の発明において、  
前記一の被検者に対して生成されたマーカ画像を含む複数の医用画像をそれぞれに対応する撮影付帯情報と対応付けて撮影順に並べて表示手段の表示画面上に同時に表示することにより、前記マーカ画像又は前記撮影付帯情報を修正可能とすることを特徴としている。
【発明の効果】
【００１６】
請求項１に記載の発明によれば、被写体とともに撮影時の情報を付与するためのマーカを撮影し、撮影時の情報を示すマーカ画像を含む医用画像を生成する医用画像生成システムにおいて、生成されたマーカ画像を含む医用画像とその医用画像に対応する撮影付帯情報とを表示手段の表示画面上に同時に表示し、表示された医用画像に含まれるマーカ画像又は撮影付帯情報を修正する修正手段を備える。従って、撮影技師等のオペレータが、医用画像に含まれるマーカ画像とその医用画像に対応する撮影付帯情報を比較して相違があるか否かを確認し、相違がある場合に、マーカ画像又は撮影付帯情報を修正することが可能となる。
【００１７】
請求項２に記載の発明によれば、一の被検者に対し複数の撮影条件下で乳房撮影を行った場合に、撮影技師等のオペレータが、撮影順番からマーカ画像が撮影時の情報を正しく示すものであるかを判別した上で、医用画像上のマーカ画像を修正することが可能となる。
【００１８】
請求項３に記載の発明によれば、一の被検者に対し複数の撮影条件下で乳房撮影を行った場合に、撮影技師等のオペレータが、医用画像に含まれるマーカ画像とその医用画像に対応する撮影付帯情報を比較して相違があるか否かを確認し、相違がある場合、撮影順番からマーカ画像が撮影時の情報を正しく示すものであるかを判別した上で、医用画像上のマーカ画像の修正又は医用画像に対応する撮影付帯情報を修正することが可能となる。
【００１９】
請求項４に記載の発明によれば、輝尽性蛍光体プレートを有するカセッテを用いて撮影を行い、カセッテの輝尽性蛍光体プレートに記録された画像を読み取って医用画像を取得する読取装置と、読取装置により取得された医用画像に所定の処理を施す情報処理装置とを備えた医用画像生成システムにおいて、撮影技師等のオペレータが、医用画像に含まれるマーカ画像とその医用画像に対応する撮影付帯情報を比較して相違があるか否かを確認し、相違がある場合に、表示された医用画像に含まれるマーカ画像又は医用画像に対応する撮影付帯情報を修正することが可能となる。また、上記医用画像システムにおいて、一の被検者に対し複数の撮影条件下で乳房撮影を行った場合に、撮影技師等のオペレータが、撮影順番からマーカ画像が撮影時の情報を正しく示すものであるかを判別した上で、医用画像上のマーカ画像を修正することが可能となる。
【００２０】
請求項５に記載の発明によれば、カセッテ型のフラットパネルディテクタを用いて撮影を行い、フラットパネルディテクタにより取得された医用画像に所定の処理を施す情報処理装置を備えた医用画像システムにおいて、撮影技師等のオペレータが、医用画像に含まれるマーカ画像とその医用画像に対応する撮影付帯情報を比較して相違があるか否かを確認し、相違がある場合に、表示された医用画像に含まれるマーカ画像又は医用画像に対応する撮影付帯情報を修正することが可能となる。また、上記医用画像システムにおいて、一の被検者に対し複数の撮影条件下で乳房撮影を行った場合に、撮影技師等のオペレータが、撮影順番からマーカ画像が撮影時の情報を正しく示すものであるかを判別した上で、医用画像上のマーカ画像を修正することが可能となる。
【００２１】
請求項６に記載の発明によれば、一の被検者に対し複数の撮影条件下で乳房撮影を行った場合に、撮影技師等のオペレータが、撮影順番からマーカ画像が撮影時の情報を正しく示すものであるかを判別した上で、医用画像上のマーカ画像を修正することが可能となる。
【００２２】
請求項７に記載の発明によれば、一の被検者に対し複数の撮影条件下で乳房撮影を行った場合に、撮影技師等のオペレータが、医用画像に含まれるマーカ画像とその医用画像に対応する撮影付帯情報を比較して相違があるか否かを確認し、相違がある場合、撮影順番からマーカ画像が撮影時の情報を正しく示すものであるかを判別した上で、医用画像上のマーカ画像の修正又は医用画像に対応する撮影付帯情報を修正することが可能となる。
【発明を実施するための最良の形態】
【００２３】
以下、図を参照して本実施の形態について説明する。
まず、構成について説明する。
【００２４】
図１に、第１の実施の形態における医用画像生成システム１００の全体構成を示す。図１に示すように、医用画像生成システム１００は、撮影装置１、読取装置（以下、リーダーと称する）２、情報処理装置（以下、コントローラーと称する)３、プリンタ４、画像ＤＢ５ａを有する画像サーバ５等を備えて構成され、リーダー２、コントローラー３、プリンタ４、画像サーバ５はネットワークＮを介して、相互にデータが送受信可能なように接続されている。なお、各装置の台数は特に限定されない。また、ネットワークＮには、ビューア、ＨＩＳ（Hospital Information System；病院情報システム）／ＲＩＳ（Radiology Information System；放射線情報科情報システム）等の外部装置やシステムが接続された構成としてもよい。
【００２５】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、重要な患者情報を含むため、送受信される情報は暗号化することが好ましい。また、病院内の通信方式としては、一般的に、ＤＩＣＯＭ（Digital Image and Communications in Medicine）規格が用いられており、上述したネットワークＮ上の各装置間の通信では、ＤＩＣＯＭ  ＭＷＭ(Modality Worklist Management）やＤＩＣＯＭ  ＭＰＰＳ（Modality Performed Procedure Step）が用いられる。
【００２６】
撮影装置１は、放射線源１６を有し、被写体（ここでは、乳房とする）Ｍに放射線を照射して撮影する。カセッテ１７は、放射線エネルギーを蓄積する輝尽性蛍光体シート１８を備える放射線画像変換プレートが内蔵された持ち運び可能な放射線画像変換媒体であり、放射線源１６からの照射放射線量に対する被写体Ｍの放射線透過率分布に従った放射線量を内設された輝尽性蛍光体シート１８の輝尽性蛍光体層に蓄積し、この輝尽性蛍光体層に被写体Ｍの放射線画像情報を記録する。
【００２７】
リーダー２は、装填されたカセッテ１７に記録された被写体Ｍの放射線画像情報を読み取り、医用画像データを生成する画像生成装置であり、装填されたカセッテ１７の輝尽性蛍光体シート１８に励起光を照射し、これによりシートから発光される輝尽光を光電変換し、得られた画像信号をＡ／Ｄ変換して、医用画像データを生成する。
【００２８】
コントローラー３は、本発明の情報処理装置であり、被検者（以下、患者とする）情報、撮影条件情報等の撮影オーダ情報の入力、リーダー２により読み取られた医用画像データに基づく画像の表示、読み取られた医用画像データへの画像処理、医用画像上に形成されたマーカ画像の編集、読み取られた医用画像データと撮影オーダ情報を含む撮影付帯情報との対応付け等を行う。
【００２９】
以下、図２を参照して、コントローラー３の内部構成について説明する。
図２に示すように、コントローラー３は、ＣＰＵ３１、操作部３２、表示部３３、ＲＡＭ３４、記憶部３５、通信制御部３６、バーコードリーダ３７等を備えて構成され、各部はバス３８により接続されている。
【００３０】
ＣＰＵ３１は、記憶部３５のプログラム記憶部３５１に記憶されているシステムプログラムを読み出し、ＲＡＭ３４内に形成されたワークエリアに展開し、該システムプログラムに従って各部を制御する。また、ＣＰＵ３１は、記憶部３５のプログラム記憶部３５１に記憶されている乳房画像生成処理プログラムを始めとする各種処理プログラム、各種アプリケーションプログラムを読み出してワークエリアに展開し、後述する乳房画像生成処理を始めとする各種処理を実行する。
【００３１】
操作部３２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ３１に出力する。また、操作部３２は、表示部３３の表示画面にタッチパネルを備えても良く、この場合、タッチパネルを介して入力された指示信号をＣＰＵ３１に出力する。
【００３２】
表示部３３は、ＬＣＤ（Liquid Crystal Display）やＣＲＴ等のモニタにより構成され、ＣＰＵ３１から入力される表示信号の指示に従って、画像確認画面３３１（図６参照）、撮影順表示画面３３２（図８参照）を始めとする表示画面を表示する。
【００３３】
ＲＡＭ３４は、ＣＰＵ３１により実行制御される各種処理において、記憶部３５から読み出されたＣＰＵ３１で実行可能な各種プログラム、入力若しくは出力データ、及びパラメータ等の一時的に記憶するワークエリアを形成する。
【００３４】
記憶部３５は、ＨＤＤ（Hard Disc Drive）や不揮発性の半導体メモリ等により構成さ
れている。記憶部３５は、図３に示すように、プログラム記憶部３５１、撮影付帯情報記憶部３５２、画像データ記憶部３５３、パラメータ記憶部３５４を有して構成されている。
【００３５】
プログラム記憶部３５１は、ＣＰＵ３１で実行されるシステムプログラム、当該システムプログラムに対応する、乳房画像生成処理プログラム、各種画像処理プログラムを始めとする各種処理プログラム、各種アプリケーションプログラム等を記憶する。これらの各種プログラムは、読取可能なプログラムコードの形態で格納され、ＣＰＵ３１は、当該プログラムコードに従った動作を逐次実行する。
【００３６】
撮影付帯情報記憶部３５２は、入力された撮影オーダ情報とその撮影オーダ情報に基づく撮影において使用するカセッテ１７に付与された、カセッテ１７を識別するためのカセッテＩＤとを対応付けて撮影付帯情報として記憶する。ここで、撮影オーダ情報とは、医用画像の撮影予約情報であり、少なくとも、患者情報、撮影条件（撮影部位、撮影方向、撮影部位が乳房の場合の左右の区別）情報が含まれる。
画像データ記憶部３５３は、リーダー２から入力された医用画像データをカセッテＩＤにより撮影付帯情報と対応付けて記憶する。
【００３７】
パラメータ記憶部３５４は、撮影部位情報に対応付けて画像処理パラメータ（階調処理に用いる階調曲線を定義したルックアップテーブル、周波数処理の強調度等）を記憶する。
【００３８】
通信制御部３６は、ＬＡＮアダプタやルータやＴＡ（Terminal Adapter）等を備え、ネットワークＮに接続された各装置との間の通信を制御する。
【００３９】
バーコードリーダ３７は、カセッテ１７上に表示されたバーコードの表すカセッテＩＤを読み取ってＣＰＵ３１に出力する。
【００４０】
プリンタ４は、例えば、光熱銀塩方式のプリンタであり、コントローラー３又は画像サーバ５から出力された画像処理済みの医用画像データに基づいて、記録媒体（ここでは、フィルムとする）上に医用画像を可視像として再生したハードコピーを出力する。
画像サーバ５は、画像ＤＢ５ａを備え、コントローラー３から出力された画像処理済みの医用画像データを撮影付帯情報と対応付けて画像ＤＢ５ａに保存する。
【００４１】
次に、本実施の形態における動作について説明する。
図４に、コントローラー３のＣＰＵ３１により実行される乳房画像生成処理を示す。本処理は、乳房画像を生成する際に、ＣＰＵ３１と記憶部３５に記憶されている乳房画像生成処理プログラムとの協働によるソフトウエア処理によって実現され、本発明の制御手段、修正手段を実現するものである。
【００４２】
まず、表示部３３に撮影オーダ情報入力用の画面が表示され、この画面から患者情報、撮影条件等の撮影オーダ情報が入力され、入力確定が指示されると（ステップＳ１）、入力された各撮影オーダ情報を識別するための識別情報（ここでは撮影ＩＤ）が発行され、撮影付帯情報記憶部３５２に、撮影ＩＤと入力された撮影オーダ情報が対応付けて記憶される（ステップＳ２）。
【００４３】
乳房の診断においては、左右の画像や異なる撮影方向による関連画像の比較読影により診断が行なわれるため、一人の患者に対して、左乳房の上下方向（ＣＣ−Ｌ）、右乳房の上下方向（ＣＣ−Ｒ）、左乳房の斜位方向（ＭＬＯ−Ｌ）、右乳房の斜位方向（ＭＬＯ−Ｒ）の、異なる撮影条件で複数回撮影を行うことが一般的である。ここで、撮影オーダ情報は一回の撮影単位毎に入力されるため、乳房撮影を行う際には、一患者に対して複数の撮影オーダ情報が入力される。本実施の形態においては、ステップＳ１において、一患者に対する撮影オーダ情報が全て入力されると、入力確定が指示されるものとする。なお、ネットワークＮを介してＲＩＳ／ＨＩＳ等が接続されている場合は、ＲＩＳ／ＨＩＳ等から撮影オーダ情報を受信して記憶することにより登録を行うようにしてもよい。
【００４４】
入力された複数の撮影オーダ情報は表示部３３に表示され、表示された撮影オーダ情報から操作部３２を介して撮影オーダ情報が選択され、選択された撮影オーダ情報に基づく撮影に使用するカセッテ１７に表示されたバーコードがバーコードリーダ３７により読み取られてカセッテＩＤが入力されると、選択された撮影オーダ情報に読み取られたカセッテＩＤが対応付けられ、撮影付帯情報として撮影付帯情報記憶部３５２に記憶される（ステップＳ３）。ステップＳ２で入力された一患者に対する全ての撮影オーダ情報について、順次カセッテＩＤが対応付けられる。図５に、撮影付帯情報記憶部３５２のデータ格納例を示す。
【００４５】
撮影オーダ情報とカセッテＩＤが対応付けられ、撮影付帯情報として記憶されると、撮影装置１において、ステップＳ３で記憶された撮影付帯情報に含まれる撮影条件及びカセッテＩＤに基づき、当該撮影付帯情報に含まれるカセッテＩＤを有するカセッテ１７を用いて被写体Ｍが放射線撮影され、被写体Ｍを透過した放射量に基づく放射線画像情報がカセッテ１７の輝尽性蛍光体シート１８に潜像として記録される。撮影時には、左右の乳房や撮影方向の取り違えをなくすため、乳房の左右の区別（Ｌ、Ｒ）や撮影方向（ＭＬＯ、ＣＣ）等の撮影時の情報を付与するための鉛マーカを被写体Ｍとともに配置して撮影が行われ、輝尽性蛍光体シート１８には、被写体及びマーカの画像がともに記録される。
【００４６】
撮影が終了したカセッテ１７は、リーダー２に撮影順に装填され、装填されたカセッテ１７に表示されているバーコードの読み取り及びカセッテ１７に記録された放射線画像の読み取りが行われる。リーダー２により読み取って得られた医用画像データ（ここでは、乳房画像データ）には、時間軸ベースのＵＩＤ（ユニークＩＤ）等が付与され、カセッテＩＤとともに順次通信制御部３６を介してコントローラー３に送信される。
【００４７】
また、乳房撮影においては、一患者に対する複数の撮影を一人の撮影技師が行うが、一撮影の終了毎に、撮影が終了したカセッテ１７をリーダー２に装填するとともに、この間に次の撮影用に撮影装置１を回転させて位置制御し（例えば、斜め（ＭＬＯの撮影位置）→水平（ＣＣの撮影位置））、次の撮影用のカセッテ１７を撮影装置１にセットするフローとなる場合もある。いずれの場合においても、リーダー２に読み取られた医用画像データに付与される時間軸ベースのＵＩＤは、撮影順番を示す情報となる。
尚、撮影順番判定は上記方法に限らず、他の方法を用いても良いことは勿論である。
【００４８】
通信制御部３６を介してリーダー２から医用画像データ、ＵＩＤ及びカセッテＩＤが入力されると（ステップＳ４）、受信された医用画像データ、ＵＩＤ及びカセッテＩＤが対応付けられて画像データ記憶部３５３に記憶される（ステップＳ５）。医用画像データに対応付けられたカセッテＩＤと撮影付帯情報に含まれるカセッテＩＤを介して、医用画像データと撮影付帯情報とが対応付けられる。そして、記憶部３５のプログラム記憶部３５１に記憶された各種画像処理プログラムが読み出され、受信された医用画像データに順次画像処理が施される（ステップＳ６）。
【００４９】
画像処理は、例えば、階調処理、周波数処理等、入力された医用画像データを診断に適したものとするための処理であり、当該医用画像データの撮影付帯情報に含まれる撮影部位情報に対応する画像処理パラメータがパラメータ記憶部３５４から読み出され、読み出された画像処理パラメータに基づいて、画像処理が施される。
【００５０】
また、医用画像データが解析され、被写体領域が認識され、被写体領域外の領域を所定の濃度、例えば、被写体領域における最小濃度値より高濃度の値となる値に変換する濃度補正処理が施される。ここで、鉛はＸ線吸収性が非常に高く、Ｘ線を透過させないので、鉛マーカを撮影して得られた画像情報（マーカ画像）は他の被写体領域外の濃度と比べて極端に低い濃度値となる。そこで、所定の濃度閾値を設け、濃度補正を行う際には、マーカ画像を残すため、被写体領域外のうちその濃度閾値以上の領域について、濃度補正が行われる。これにより、医用画像上の被写体領域以外の領域及びマーカ画像領域以外の領域の濃度が均一に補正される。
【００５１】
被写体領域の認識は、例えば、医用画像データを解析し、被写体の輪郭線を抽出する等により行う。例えば、医用画像データの濃度データを適当な閾値を用いて２値化し、「０」と「１」の境界を追跡して輪郭線とし、この輪郭線及び撮影部位、撮影方向に応じて被写体領域を決定する。或いは、人体領域又は人体内部の所定の解剖学的構造に対応する領域の輪郭線抽出方法（日本乳癌検診学会誌，Vol.17,No.1,pp87-102,1998、特開昭６３−２４０８３２号公報）を用いて被写体領域を決定するようにしてもよい。
【００５２】
次いで、表示部３３の表示画面上に画像確認画面３３１が表示され、画像処理が終了した医用画像データに基づく医用画像及びこの医用画像に対応する撮影付帯情報が同時に表示され（ステップＳ７）、マーカ画像編集処理が実行される（ステップＳ８）。上記ステップＳ７により、本発明の請求項１に記載の制御手段が実現される。
【００５３】
図６に、画像確認画面３３１の一例を示す。図６に示すように、画像確認画面３３１には、リーダー２から読み取られ、画像処理された一の医用画像を表示するための画像表示欄３３１ａと、当該医用画像に対応する撮影付帯情報のうち、患者情報を表示するための患者情報表示欄３３１ｂと、撮影付帯情報のうち、撮影方向や左右の乳房の区別等の撮影条件情報を表示するための撮影条件情報表示欄３３１ｃと、医用画像上のマーカ画像を編集するためのボタンＢ１〜Ｂ７と、一患者に対して撮影された複数の医用画像を撮影順に表示する撮影順表示画面３３２（図８参照）を表示するためのボタンＢ８と、表示された医用画像の確定を指示するための確定ボタンＢ９と、表示された医用画像のデータの破棄を指示するためのＮＧボタンＢ１０と、撮影付帯情報を修正するための撮影付帯情報修正ボタンＳＢ１とが設けられている。
【００５４】
図６においては、画像表示欄３３１ｂに、被写体画像Ｏと、撮影方向（ＭＬＯ）を示すマーカ画像及び左右の区別（Ｒ）を示すマーカ画像の組み合わせから構成されるマーカ画像Ａとを含む医用画像が表示されている例を示している。マーカ画像は、撮影時に撮影方向のみを示す鉛マーカを被写体Ｍとともに撮影した場合は、撮影方向を示すマーカ画像のみが医用画像上に形成され、左右の区別のみを示す鉛マーカを撮影した場合は、左右の区別を示すマーカ画像が医用画像上に形成される。
【００５５】
ボタンＢ１〜Ｂ７のうち、ボタンＢ１は、医用画像上に「ＭＬＯ」を示すマーカ画像を付加するためのボタンである。ボタンＢ２は、医用画像上に「ＣＣ」を示すマーカ画像を付加するためのボタンである。ボタンＢ３は、医用画像上に「Ｌ」を示すマーカ画像を付加するためのボタンである。ボタンＢ４は、医用画像上に「Ｒ」を示すマーカ画像を付加するためのボタンである。ボタンＢ５は、医用画像上に表示された「ＣＣ」を示すマーカ画像を、「ＭＬＯ」を示すマーカ画像に修正するためのボタンである。ボタンＢ６は、医用画像上に表示された「ＭＬＯ」を示すマーカ画像を、「ＣＣ」を示すマーカ画像に修正するためのボタンである。ボタンＢ７は、指定された領域内のマーカ画像を削除するためのボタンである。
【００５６】
図７に、図４のステップＳ８において、ＣＰＵ３１により実行されるマーカ画像編集処理を示す。本処理は、ＣＰＵ３１と記憶部３５に記憶されているマーカ画像編集処理プログラムとの協働によるソフトウエア処理によって実現される。
【００５７】
まず、表示部３３に表示された画像確認画面３３１上に図示しないオペレータＩＤ入力画面がオーバーレイ表示される（ステップＳ１０１）。このオペレータＩＤ入力画面から、オペレータを識別するための識別情報としてオペレータＩＤが入力され、そのオペレータＩＤが許可されたＩＤである場合は（ステップＳ１０２；ＹＥＳ）、オーバーレイ表示が解除され、処理はステップＳ１０４に移行する。入力されたオペレータＩＤが許可されたＩＤでない場合は（ステップＳ１０２；ＮＯ）、表示部３３に編集不可である旨が表示され（ステップＳ１０３）、処理は図４のステップＳ９に移行する。
【００５８】
ステップＳ１０４において、操作部３２により、画像確認画面３３１の画像表示欄３３１ａに表示された医用画像上の、マーカ画像を付加したい領域が指定され、ボタンＢ１〜Ｂ４の何れかが押下されることによりマーカ画像の付加が指示されると（ステップ１０４；ＹＥＳ）、押下されたボタンに応じたマーカ画像が医用画像上の指定された領域に付加される（ステップＳ１０５）。上記ステップＳ１０４〜Ｓ１０５により、医用画像上にマーカ画像を付加することが可能となる。
【００５９】
操作部３２により、画像確認画面３３１の画像表示欄３３１ａに表示された医用画像上の修正すべきマーカ画像領域が指定され、ボタンＢ５又はＢ６の何れかの押下により修正後のマーカ画像の文字が指定されてマーカ画像の修正が指示されると（ステップＳ１０６；ＹＥＳ）、医用画像上の指定された領域に存在するマーカ画像の濃度が被写体領域外の他の濃度と同一の濃度に変換された後、押下されたボタンに応じたマーカ画像が医用画像上の指定された領域に付加され、マーカ画像が修正される（ステップＳ１０７）。上記ステップＳ１０６〜Ｓ１０７により、本発明の請求項１に記載の修正手段が実現され、医用画像上のマーカ画像（撮影方向（ＭＬＯ又はＣＣ）を示すマーカ画像）を修正することが可能となる。
【００６０】
操作部３２のマウス等の操作により修正されたマーカ画像の位置調整が入力されると、入力に応じてマーカ画像の位置が調整される（ステップＳ１０８）。
【００６１】
操作部３２により、画像確認画面３３１の画像表示欄３３１ａに表示された医用画像上の削除したいマーカ領域が指定され、ボタンＢ７が押下されることによりマーカ画像の削除が指示されると（ステップＳ１０９；ＹＥＳ）、医用画像上の指定された領域に存在するマーカ画像の濃度が被写体領域外と同一の濃度に変換されることによりマーカ画像が削除される（ステップＳ１１０）。上記ステップＳ１０９〜Ｓ１１０により、医用画像上のマーカ画像を削除することが可能となる。
【００６２】
操作部３２により、ボタンＳＢ１が押下され、撮影付帯情報の修正が指示されると（ステップＳ１１１；ＹＥＳ）、表示された医用画像に対応する撮影付帯情報が撮影付帯情報記憶部３５２から読み出され、読み出された撮影付帯情報が表示された図示しない撮影付帯情報修正画面が表示される（ステップＳ１１２）。操作部３２により、撮影付帯情報修正画面上から撮影付帯情報が修正入力される（カセッテＩＤが修正入力される）と、入力情報に基づいて撮影付帯情報記憶部３５２の情報が修正され（ステップＳ１１３）、処理はステップＳ１１７に移行する。上記ステップＳ１１１〜Ｓ１１３により、本発明の請求項１に記載の修正手段が実現され、撮影付帯情報に含まれるカセッテＩＤを修正し撮影オーダ情報とカセッテＩＤとの対応付けを変更することにより、撮影付帯情報と医用画像の対応付けを修正することが可能となる。
【００６３】
一方、操作部３２によりボタンＢ８が押下され、撮影順表示画面３３２の表示が指示されると（ステップＳ１１４；ＹＥＳ）、表示部３３の表示画面上に撮影順表示画面３３２が表示される（ステップＳ１１５）。各医用画像のデータには、撮影順を示すＵＩＤが付与されているので、医用画像を撮影順に容易に並び替えることが可能である。撮影順表示画面３３２が表示されると、後述するＬ／Ｒ修正処理が実行される（ステップＳ１１６）。上記ステップＳ１１５により、本発明の請求項２、３に記載の制御手段が実現され、ステップＳ１１６により、本発明の請求項２、３に記載の修正手段が実現され、撮影付帯情報と医用画像上のマーカ画像の乳房の左右の区別（Ｌ、Ｒ）が相違する場合に修正を行うことが可能となる。
【００６４】
言い換えると、部位の取り違えの可能性に繋がる、個別の画像のＬ／Ｒの単純修正は禁止され、関連画像との関係を加味した上記フローを用いた判断後にのみ許容されることとしている。また、一の患者の関連画像を全て表示し、この各画像に付与されたマーカ画像のＬ及びＲが同数（２：２のはず）ではない場合に、上記撮影順表示画面３３２に切り替え、オペレータがどの画像のマーカ画像が間違いであるかを認識可能にしても良い。この場合にも各画像の撮影付帯情報を併せて表示することが好ましいが、関連画像中のどの画像がＬ／Ｒのマーカを間違えているかの判断には必ずしも必要ではない。
【００６５】
画像確認画面３３１を表示した結果、例えば、撮影付帯情報に含まれる撮影方向がＭＬＯでマーカ画像が示す撮影方向がＣＣのように、撮影付帯情報とマーカ画像の示す撮影方向が異なる場合、撮影技師等のオペレータが、表示されている被写体画像から正しい撮影方向を判別することができる。マーカ画像が被写体画像から判別された正しい撮影方向を示していない場合には、マーカ画像のＭＬＯ／ＣＣを修正することにより、マーカ画像と撮影付帯情報の撮影方向を正しい情報で一致させることが可能となる。マーカ画像が被写体画像から判別された正しい撮影方向を示している場合には、撮影付帯情報に含まれるカセッテＩＤを修正し撮影オーダ情報とカセッテＩＤとの対応付けを変更して、撮影付帯情報と医用画像との対応付けを修正することにより、マーカ画像と撮影付帯情報の撮影方向を正しい情報で一致させることが可能となる。
【００６６】
一方で、撮影付帯情報とマーカ画像の示す左右の区別（Ｌ、Ｒ）に相違が生じていた場合には、撮影技師等のオペレータは、被写体画像を目視しても正しい情報を判別することは困難である。そこで、ステップＳ１１４における撮影技師等のオペレータによるボタンＢ８の押下に応じて撮影順表示画面３３２（図８参照）を表示し、撮影順に医用画像を表示することにより、オペレータが正しい情報を判別可能となる。
【００６７】
図８に、撮影順表示画面３３２の一例を示す。図８に示すように、撮影順表示画面３３２には、一患者に対して撮影されたＮ枚（ここでは、４枚）の医用画像を撮影順に表示する画像表示欄Ｐ１〜ＰＮと、表示された各医用画像に対応する撮影付帯情報に含まれる撮影方向及び左右の乳房の区別を示す撮影条件情報を表示する撮影付帯情報表示欄Ｄ１〜ＤＮが設けられている。ここで、表示された各医用画像に対応する撮影付帯情報は、ステップＳ５でカセッテＩＤを介して各医用画像のデータに対応付けられた撮影付帯情報である。即ち、撮影順表示画面３３２を表示することにより、一患者に対して撮影されたマーカ画像を含む複数の医用画像がそれぞれに対応する撮影付帯情報と対応付けて撮影順に並べて同時に表示される。
【００６８】
また、画面下部には、修正対象の医用画像、即ち、画像確認画面３３１に表示された医用画像上の「Ｒ」を示すマーカ画像を「Ｌ」を示すマーカ画像に修正するためのボタンＢ１１、修正対象の医用画像上の「Ｌ」を示すマーカ画像を「Ｒ」を示すマーカ画像に修正するためのボタンＢ１２、撮影付帯情報を修正するための撮影付帯情報修正ボタンＳＢ２、Ｌ／Ｒ修正処理を終了し、画像確認画面３３１に戻るための「終了」ボタンＢ１３が設けられている。
【００６９】
通常、乳房撮影時においては圧迫圧による痛さの関係から片方の乳房を連続して撮影しない。即ち、４枚の乳房の撮影を行う場合、撮影予約時には、例えば、撮影順が（１）ＭＬＯ−Ｌ→（２）ＭＬＯ−Ｒ→（３）ＣＣ−Ｌ→（４）ＣＣ−Ｒであるよう、ステップＳ３において、使用するカセッテのカセッテＩＤと各撮影オーダ情報とを対応登録する。一方、上記の各カセッテをリーダー２で読み取り、読み取った医用画像を表示したとき、最初に読み取り、表示された医用画像のマーカ画像がＭＬＯ−Ｒであった場合、撮影順表示ボタンＢ８の押下により同一患者に対する全医用画像を撮影順に表示させ、医用画像上のマーカ画像が（１）ＭＬＯ−Ｒ→（２）ＭＬＯ−Ｌ→（３）ＣＣ−Ｒ→（４）ＣＣ−Ｌとなっていれば、各医用画像上に形成されたマーカ画像は、被写体の左右の区別（Ｌ／Ｒ）を正確に示していることがわかる。この場合には、後述するＬ／Ｒ修正処理において、カセッテＩＤを修正し撮影付帯情報に含まれるカセッテＩＤ（図５参照）と撮影オーダ情報との対応付けを変更して、撮影付帯情報と医用画像との対応付けを修正することにより、マーカ画像と撮影付帯情報の左右の区別を示す情報を一致させることが可能となる。
【００７０】
一方、撮影順に医用画像を並べた結果、マーカ画像の左右の区別がＬ→Ｒ→Ｌ→Ｒ又はＲ→Ｌ→Ｒ→Ｌとなっていない医用画像がある場合、その医用画像上に形成されたマーカ画像は、被写体画像の情報を正確に示していないことがわかる。例えば、撮影順に並べられた医用画像上のマーカ画像が（１）Ｌ→（２）Ｒ→（３）Ｒ→（４）Ｒで、対応する撮影付帯情報が（１）Ｌ→（２）Ｒ→（３）Ｌ→（４）Ｒである場合には、（３）の撮影の際に誤った鉛マーカを配置して撮影を行ったことがわかる。そこで、後述するＬ／Ｒ修正処理において、（３）のマーカ画像をＬに修正することにより、マーカ画像と撮影付帯情報の左右の区別を示す情報を一致させることが可能となる。
【００７１】
図９に、図７のステップＳ１１６において、ＣＰＵ３１により実行されるＬ／Ｒ修正処理を示す。本処理は、ＣＰＵ３１と記憶部３５に記憶されているＬ／Ｒ修正処理プログラムとの協働によるソフトウエア処理によって実現される。
【００７２】
操作部３２により、撮影順表示画面３３２に表示された修正対象の医用画像上（画像確認画面３３１の画像表示欄３３１ａに表示された医用画像上）の修正すべきＬ又はＲのマーカ画像領域が指定され、ボタンＢ１１又はＢ１２の何れかの押下により修正後のマーカ画像の文字が指定されることによりマーカ画像の修正が指示されると（ステップＳ２０１；ＹＥＳ）、医用画像上の指定された領域に存在するマーカ画像の濃度が被写体領域外の他の濃度と同一の濃度に変換された後、押下されたボタンに応じたマーカ画像が医用画像上の指定された領域に付加され、マーカ画像が修正される（ステップＳ２０２）。操作部３２のマウス等の操作により修正されたマーカ画像の位置調整が入力されると、入力に応じてマーカ画像の位置が調整され（ステップＳ２０３）、処理はステップＳ２０７に移行する。
【００７３】
一方、操作部３２により、修正が指示されず（ステップＳ２０１；ＮＯ）、ボタンＳＢ２が押下され、撮影付帯情報の修正が指示されると（ステップＳ２０４；ＹＥＳ）、表示された複数の医用画像に対応する撮影付帯情報が撮影付帯情報記憶部３５２から読み出され、読み出された撮影付帯情報が表示された図示しない撮影付帯情報修正画面が表示される（ステップＳ２０５）。操作部３２により、撮影付帯情報修正画面上から撮影付帯情報が修正入力されると、入力情報に基づいて撮影付帯情報記憶部３５２の情報が修正され（ステップＳ２０６）、処理はステップＳ２０７に移行する。
【００７４】
ステップＳ２０１〜Ｓ２０６の処理が終了し、操作部３２によりボタンＢ１３が押下され、終了が指示されると（ステップＳ２０７；ＹＥＳ）、表示部３３に再度画像確認画面３３１が表示され、処理は図７のステップＳ１１７に移行する。
【００７５】
図７において、画像確認画面３３１から確定ボタンＢ９が押下されて表示された医用画像の確定が指示されるか又はＮＧボタンＢ１０が押下されて表示された医用画像の破棄が指示されるまで、操作部３２の操作信号に基づいてステップＳ１０４〜Ｓ１１６の処理が実行される。確定ボタンＢ９又はＮＧボタンＢ１０が押下され、表示された医用画像の確定又は破棄が指示されると（ステップＳ１１７；ＹＥＳ）、処理は図４のステップＳ９に移行する。
【００７６】
図４のステップＳ９において、操作部３２からの指示が医用画像の確定である場合は（ステップＳ９；ＹＥＳ）、処理済みの医用画像データが撮影付帯情報と対応付けられ、通信制御部３６を介して画像サーバ５に送信され、撮影付帯情報と対応付けて画像ＤＢ５ａに保存される（ステップＳ１０）。操作部３２からの指示が医用画像の確定ではない場合、即ち、医用画像の破棄である場合は（ステップＳ９；ＮＯ）、画像データ記憶部３５３に記憶された当該医用画像のデータが消去される（ステップＳ１１）。同一患者に対して複数の撮影条件で撮影された全ての医用画像についてステップＳ７〜Ｓ１１が実行され、終了すると（ステップＳ１２；ＹＥＳ）、本処理は終了する。
【００７７】
画像ＤＢ５ａに保存された医用画像データは、読み出してプリンタ４に送信することにより、正しくマーカ画像が表示された医用画像をフィルム上に記録して出力することが可能となる。医用画像データをコントローラー３から直接プリンタ４に送信して医用画像をフィルム上に記録して出力するようにしてもよい。
【００７８】
以上説明したように、コントローラー３によれば、医用画像に含まれるマーカ画像とその医用画像に対応する撮影付帯情報を表示部３３の表示画面上に同時に表示するので、撮影技師等のオペレータが、医用画像に含まれるマーカ画像とその医用画像に対応する撮影付帯情報を比較して相違があるか否かを確認し、相違がある場合に、表示された医用画像に含まれるマーカ画像又は医用画像に対応する撮影付帯情報を修正することが可能となる。また、コントローラー３によれば、同一患者に対し複数の撮影条件下で撮影を行った複数の医用画像（乳房画像）を撮影順に表示画面上に表示することが可能であるので、撮影技師等のオペレータが、撮影順番から医用画像上のマーカ画像が撮影時の情報を正しく示すものであるかを判別した上で、医用画像上のマーカ画像の修正又は医用画像に対応する撮影付帯情報の修正を行うことが可能となる。  
【００７９】
なお、上記実施の形態における記述内容は、本発明に係る医用画像生成システム１００の好適な一例でありこれに限定されるものではない。
【００８０】
例えば、上記実施の形態においては、本発明を、カセッテを用いるＣＲ装置を備えた医用画像生成システム１００に適用した場合を例にとり説明したが、これに限定されず、例えば、図１０に示すＦＰＤ（flat panel detector）等の放射線検出器を用いた医用画像
生成システム２００等においても適用することが可能である。
【００８１】
図１０に示すように、医用画像生成システム２００は、撮影装置６、コントローラー３、プリンタ４、画像サーバ５等を備えて構成され、コントローラー３、プリンタ４及び画像サーバ５がネットワークＮを介して、相互にデータが送受信可能なように接続されている。また、コントローラー３は、図２に示す構成に、クレードル３ａと接続するためのＩ／Ｆを有しており、クレードル３ａにカセッテ６７が装填されることにより、カセッテ６７とデータが送受信可能に接続される。なお、各装置の台数は特に限定されない。また、ネットワークＮには、ビューア、ＨＩＳ／ＲＩＳ等の外部装置やシステムが接続された構成としてもよい。
【００８２】
撮影装置６は、放射線源６６を有し、被写体Ｍに放射線を照射して撮影する。カセッテ６７は、被写体を透過した放射線像を画像データとして直接取り出すＦＰＤを搭載したカセッテ型撮影装置であり、被写体Ｍを透過した放射線像を撮影して可視光に変換し、この可視光を光電変換して電気信号として検出し、検出された電気信号をデジタル変換して医用画像データを取得する。カセッテ６７には、カセッテを識別するためのカセッテＩＤを示すバーコードが表示されている。
【００８３】
上記医用画像生成システム２００において、コントローラー３は、図４に示す乳房画像生成処理を実行し、クレードル３ａを介してカセッテ６７から医用画像データが入力され、バーコードリーダ３７によりカセッテ６７のカセッテＩＤが読み取られると、当該医用画像データがカセッテＩＤにより撮影付帯情報と対応付けられて画像データ記憶部３５３に記憶され、当該医用画像データに画像処理が施され、画像確認画面３３１、撮影順表示画面３３２からの入力に基づきマーカ画像の編集、撮影付帯情報の修正が施され、画像サーバの画像ＤＢ５ａに保存される。
【００８４】
ＦＰＤを使用して乳房撮影を行う場合、上述したＣＲ装置を用いたシステムのように複数のカセッテを使用することとは異なり、同一のカセッテを使用して、撮影→医用画像データのコントローラー３への送信→カセッテ１７からの医用画像データの消去、を繰り返して複数の撮影を行うため、コントローラー３側で医用画像データの受信順番が撮影順番となり、コントローラー３側で撮影順表示画面３３２を表示する際の撮影順番を容易に判別することが容易となり、更に好ましい。ＦＰＤを使用する場合には、ＦＰＤからの医用画像データ送信時に、ＦＰＤ側でデータ送信時刻を医用画像データのヘッダ情報に追加し、コントローラー３へ送信することとしてもよい。すなわち、ＦＰＤを用いたシステムでは、ＦＰＤが医用画像データのヘッダ情報に追加したデータ送信時刻、又はコントローラー３におけるＦＰＤからの医用画像データの受信時刻が撮影順を示すこととなる。
【００８５】
また、本発明は、上記カセッテやＦＰＤを利用するものに限らず、立位／臥位専用タイプのシステム等の任意の医用画像生成システムに適用することができる。
【００８６】
また、上記実施の形態において、画像確認画面３３１には１つずつ医用画像を表示させ、マーカ編集、撮影付帯情報の修正を行うこととしたが、診断時のように、左右の２つの乳房の医用画像を胸壁側を併せるようにして並べて表示し、各乳房画像についての撮影付帯情報を併せて表示して、マーカ編集、撮影付帯情報の修正を行うようにしてもよい。また、一画面に一患者分の医用画像を撮影順に並べて表示して、各医用画像についてマーカ編集、撮影付帯情報の修正が行えるようにしてもよい。
【００８７】
更に、上記実施の形態においては、鉛マーカを配置して乳房撮影を行って、乳房画像に付与されたマーカ画像や撮影付帯情報を修正する場合を例にとり説明したが、マーカを配置して他の部位を撮影した場合に医用画像上に形成されたマーカ画像や撮影付帯情報を修正する場合についても本発明を適用することが可能である。
【００８８】
その他、医用画像生成システム１００、２００を構成する各装置の細部構成及び細部動作に関しても、本発明の趣旨を逸脱することのない範囲で適宜変更可能である。
【図面の簡単な説明】
【００８９】
【図１】本発明に係る医用画像生成システム１００の全体構成を示す図である。
【図２】図１のコントローラー３の機能的構成を示すブロック図である。
【図３】図２の記憶部３５の構成例を示す図である。
【図４】図２のＣＰＵ３１により実行される乳房画像生成処理を示すフローチャートである。
【図５】図３の撮影付帯情報記憶部３５２のデータ格納例を示す図である。
【図６】画像確認画面３３１の一例を示す図である。
【図７】図２のＣＰＵ３１により実行されるマーカ画像編集処理を示すフローチャートである。
【図８】撮影順表示画面３３２の一例を示す図である。
【図９】図２のＣＰＵ３１により実行されるＬ／Ｒ修正処理を示すフローチャートである。
【図１０】本発明に係る医用画像生成システム２００の全体構成を示す図である。
【符号の説明】
【００９０】
１００、２００  医用画像生成システム
１  撮影装置
１６  放射線源
１７  カセッテ
１８  輝尽性蛍光体シート
２  リーダー
３  コントローラー
３１  ＣＰＵ
３２  操作部
３３  表示部
３４  ＲＡＭ
３５  記憶部
３５１  プログラム記憶部
３５２  撮影付帯情報記憶部
３５３  画像データ記憶部
３５４  パラメータ記憶部
３６  通信制御部
３７  バーコードリーダ
３８  バス
【図１】
2006043435.tif 000003
【図２】
2006043435.tif 000004
【図３】
2006043435.tif 000005
【図４】
2006043435.tif 000006
【図５】
2006043435.tif 000007
【図６】
2006043435.tif 000008
【図７】
2006043435.tif 000009
【図８】
2006043435.tif 000010
【図９】
2006043435.tif 000011
【図１０】
2006043435.tif 000012